(57)【特許請求の範囲】
【請求項１】
被検眼の眼底の第１の画像を撮像する第１の光学系、前記被検眼の前眼部の画像を撮像する第２の光学系、前記被検眼の固視を促す指標を表示する第３の光学系及び前記第１の画像より低倍率の第２の画像を撮像する第４の光学系の４つの光学系と、
前記被検眼からの光の光軸に対してチルト偏心して配置され、前記第１の光学系を分離する第１のダイクロイックミラーと、
前記第１のダイクロイックミラーを透過した前記被検眼からの光が、第１の正レンズを介して導かれると共に、前記被検眼からの光の光軸に対してチルト偏心して配置され、前記第２の光学系を分離する第２のダイクロイックミラーと、
前記第２のダイクロイックミラーを透過した前記被検眼からの光の光軸に対してチルト偏心して配置され、反射によって前記第３の光学系を分離すると共に、透過によって第４の光学系を分離する第３のダイクロイックミラーと
前記第２のダイクロイックミラーにより分離された前記第２の光学系に配置された第２の正レンズ及び偏心平板と、を有し、
前記第１の正レンズは、前記被検眼の眼底からの光を収斂光として前記第２のダイクロイックミラーに入射させると共に、発散光として前記第３のダイクロイックミラーへ入射させ、及び、前記被検眼の前記前眼部からの発散光を平行光として前記第２のダイクロイックミラーへ入射させ、
前記第２のダイクロイックミラーにより発生する前記被検眼の前記眼底からの光の非点収差が、前記第３のダイクロイックミラーにより補正され、
前記第１のダイクロイックミラーにより発生する前記被検眼の前記前眼部からの発散光の非点収差が、前記第２の正レンズを介して前記偏心平板により補正され、
前記偏心平板は、前記第１のダイクロイックミラーの偏心断面と垂直な偏心断面上で同量のチルト偏心量を有し、前記第２の正レンズを介した収斂光を透過させることにより、前記第１のダイクロイックミラーにより生じる非点収差が補正されることを特徴とする眼科装置。
【請求項２】
前記第１の光学系は、波面補正機能を有して、前記眼底を高倍率で撮像する光学系であり、
前記第１のダイクロイックミラーは７５０ｎｍ〜８８０ｎｍの波長範囲の光を反射し、前記波長範囲の外の波長の光は透過する特性を有していることを特徴とする請求項１に記載の眼科装置。
【請求項３】
前記第４の光学系は、前記眼底を広画角で撮像する光学系であり、
前記４つの光学系の中で最も長い波長の８８０ｎｍ以上の波長の光を撮像し、
前記第２のダイクロイックミラー及び前記第３のダイクロイックミラーは、８８０ｎｍ以上の波長の光を透過する特性を有していることを特徴とする請求項１に記載の眼科装置。
【請求項４】
前記第１の正レンズは焦点距離として５０ｍｍ以上かつ１５０ｍｍ以下の非球面レンズであることを特徴とする請求項１乃至３の何れか１項に記載の眼科装置。
【発明の詳細な説明】
【技術分野】
【０００１】
本発明は、被検眼の眼底あるいは前眼部を検査する眼科装置に例示される検査装置に関する。ビームスプリッターにより複数の光学系を配置し、眼底撮像及び前眼部撮像を行う装置に関するものである。特に被検者の眼球の収差をキャンセル補正して眼底の微小部を高倍率高解像度で撮像する機能を有した装置に関する。
【背景技術】
【０００２】
近年、検査装置の一態様である眼科用の撮像装置として、眼底に２次元的にレーザ光を照射してその反射光を受光して画像化するＳＬＯ（Scanning Laser Ophthalmoscope：走査レーザ検眼鏡）装置が知られている。特に、眼底を高倍率で撮像する際、眼の収差を測定し、その収差を補正する補償光学（Adaptive Optics：ＡＯ）機能を組み込んだＡＯ−ＳＬＯの研究が進められている。このような装置には、眼底を広画角で撮影する低倍率広角光学系、補償光学機能を組み込み、眼底を高倍率高解像度で撮影するＡＯ光学系、前眼部を撮像する前眼部光学系、ＡＯ光学系の眼底撮像範囲を変えるための固視灯表示光学系などの複数の光学系が配置される。これらの光学系の光路分離は、ハーフミラーまたはダイクロイックミラー等のビームスプリッターをチルト偏心配置させ、透過方向と反射方向とに光路を分けることにより行われている。
【０００３】
特許文献１には、チルト偏心させたビームスプリッターにより光路の分離を為したＡＯ−ＳＬＯ装置が開示されている。当該装置は、複数のビームスプリッター或いはダイクロイックミラーを有する。なお、チルト偏心とは、ビームスプリッター等の光学素子の光軸を照明光等の光軸に対して傾ける或いは回転させる態様で偏心させたものを指す。例えば、一のビームスプリッターは、眼底への照明光を投射する高倍率眼底照明系／低倍率眼底照明系を他光学系と分離する。また、他のビームスプリッターは、固視標表示光学系と前眼部観察光学系を他光学系から分離する。ダイクロイックミラーは、眼の収差を測定する波面イメージセンサー光学系を他光学系から分離する。更に低倍率眼底撮像光学系と高倍率眼底撮像光学系を分離する穴あきビームスプリッターも開示されている。
【先行技術文献】
【特許文献】
【０００４】
【特許文献１】特開２００７−２９６２０９号公報
【発明の概要】
【発明が解決しようとする課題】
【０００５】
前述したように、複数の光学系を配置する例えばＡＯ−ＳＬＯ装置等の眼科装置では、特許文献１に開示されるように、チルト偏心させたビームスプリッターにより光路分離が行われる。しかしこれらのビームスプリッターのチルト偏心は、同一平面内（紙面内）でのチルト偏心あるため、軸上での非点収差は残存したままになってしまう。このため、得られる画像が歪む等の事態が生じ、撮像装置としての良好な光学性能は得られない。
【０００６】
本発明は、以上の状況に鑑みて為されたものであって、ビームスプリッターを用いて且つ複数の光学系を配置し、眼底撮像及び前眼部撮像を行う眼科装置において、良好な光学性能を有した装置を提供する。
【課題を解決するための手段】
【０００７】
上記目的を達成するために、本発明の一態様に係る眼科装置は、
被検眼の眼底の第１の画像を撮像する第１の光学系、前記被検眼の前眼部の画像を撮像する第２の光学系、前記被検眼の固視を促す指標を表示する第３の光学系及び前記第１の画像より低倍率の第２の画像を撮像する第４の光学系の４つの光学系と、
前記被検眼からの光の光軸に対してチルト偏心して配置され、前記第１の光学系を分離する第１のダイクロイックミラーと、
前記第１のダイクロイックミラーを透過した前記被検眼からの光が、第１の正レンズを介して導かれると共に、前記被検眼からの光の光軸に対してチルト偏心して配置され、前記第２の光学系を分離する第２のダイクロイックミラーと、
前記第２のダイクロイックミラーを透過した前記被検眼からの光の光軸に対してチルト偏心して配置され、反射によって前記第３の光学系を分離すると共に、透過によって第４の光学系を分離する第３のダイクロイックミラーと
前記第２のダイクロイックミラーにより分離された前記第２の光学系に配置された第２の正レンズ及び偏心平板と、を有し、
前記第１の正レンズは、前記被検眼の眼底からの光を収斂光として前記第２のダイクロイックミラーに入射させると共に、発散光として前記第３のダイクロイックミラーへ入射させ、及び、前記被検眼の前記前眼部からの発散光を平行光として前記第２のダイクロイックミラーへ入射させ、
前記第２のダイクロイックミラーにより発生する前記被検眼の前記眼底からの光の非点収差が、前記第３のダイクロイックミラーにより補正され、
前記第１のダイクロイックミラーにより発生する前記被検眼の前記前眼部からの発散光の非点収差が、前記第２の正レンズを介して前記偏心平板により補正され、
前記偏心平板は、前記第１のダイクロイックミラーの偏心断面と垂直な偏心断面上で同量のチルト偏心量を有し、前記第２の正レンズを介した収斂光を透過させることにより、前記第１のダイクロイックミラーにより生じる非点収差が補正されることを特徴としている。
【発明の効果】
【０００８】
本発明によれば、複数の光学系有し且つダイクロイックミラーをチルト偏心させて光路分離する装置において、発生する非点収差を良好に補正し、何れの光学系においても高い光学性能を得ることが可能となる。
【図面の簡単な説明】
【０００９】
【図１】本発明の第１実施例に係るＡＯ−ＳＬＯ装置における主要光学要素の概略構成図である。
【図２】本発明の第１実施例で用いた第１、第２、及び第３のダイクロイックミラーの特性を示す図である。
【図３】本発明の第２実施例に係るＡＯ−ＳＬＯ装置における主要光学要素の概略構成図である。
【図４】本発明の第２実施例で用いた第１、第２、及び第３のダイクロイックミラーの特性を示す図である。
【図５】第２のダイクロイックミラーによる軸上中心の非点収差の発生を説明する光路図である。
【図６】第２のダイクロイックミラーによる軸上中心の非点収差の影響が表れた結像面でのスポット像性能を示すスポットダイアグラムである。
【図７】本発明の第１実施例において第３のダイクロイックミラーを用いて行われる非点収差の補正について説明する光路図である。
【図８】本発明の第１実施例における第３のダイクロイックミラーによる補正後に得られた結像面でのスポット像性能を示すスポットダイアグラムである。
【図９】本発明の第１実施例における第３のダイクロイックミラーを用いて行われる非点収差の別の補正態様について説明する光路図である。
【図１０】本発明の第１実施例における第３のダイクロイックミラーによる別態様の補正後に得られた結像面でのスポット像性能を示すスポットダイアグラムである。
【発明を実施するための形態】
【００１０】
＜第１実施例＞
以下に本発明の実施の形態について、図面を参照して説明する。
図１は、本発明の第１実施例に係る眼科装置であるＡＯ−ＳＬＯ装置における主要光学要素の概略構成図である。図１（ａ）は母線断面上の構成について、図１（ｂ）は子線断面上の構成について各々示している。本装置では、レーザ光源またはＳＬＤ（Super Luminescent Diode）光源１２の光について、種々の光学系を介し且つ走査型のスキャナー１１を用いて被検眼１の眼底上に二次元的に照射している。照射後の眼底からの反射光は光源から眼底に至った光路を逆戻りし、受光センサー１２で受光される。受光された眼底反射光は光電変化処理等を経てて画像化される。
【００１１】
なお、実際に用いられる走査型スキャナー１１は反射型ミラーデバイスであるが、ここでは便宜的に透過型の態様で示している。また光源１２と受光センサー１２は同一として図示しているが、実際に符号１２に示される位置に配置される構成は光ファイバーの端面であり、その背後の不図示のファイバーカプラーにより、光源発光用の光路と受光センサー用の光路とに分岐されている。
【００１２】
本装置には、第１の光学系であるＡＯ光学系４、第２の光学系である前眼部光学系３、第３の光学系である固視灯表示光学系５、第４の光学系である低倍率広角光学系２が含まれる。ＡＯ光学系は、波面補正機能を有し眼底を高倍率高解像度で撮像するために、眼の収差を測定してその収差をキャンセル補正する不図示の補償光学（Adaptive Optics：ＡＯ）機能が組み込まれる。ＡＯ光学系４は、被検眼１から偏心して配置される第１ダイクロイックミラーＤＣＭ１により光路の分離がされている。被検眼１の前眼部を撮像する前眼部光学系３の光路は、第２ダイクロイックミラーＤＣＭ２により分離される。第２のダイクロイックミラーＤＣＭ２は、後述する正レンズ１０を介した被検眼１からの光を分離するために被検眼より偏心して配置される。即ち、被検眼に導かれる光の光軸に対して、該第２のダイクロイックミラーの光軸が傾けて配置されている。以下、本明細書において偏心して配置されるなる記載は、当該光学素子の光軸が被検眼に導かれる光である測定光等の光軸に対して傾斜するように配置されることを意味することとする。固視灯表示光学系５は、被検眼の固視を促してＡＯ光学系の眼底撮像範囲を変えるための指標を表示する。固視灯表示光学系５の光路は第３のダイクロイックミラーＤＣＭ３で反射分離され、眼底を広画角で撮影する低倍率広角光学系２の光路は第３のダイクロイックミラーＤＣＭ３により透過分離されている。
【００１３】
なお、第１ダイクロイックミラーＤＣＭ１と第２ダイクロイックミラーＤＣＭ２との間には、正レンズ１０が配置される。当該正レンズ１０の配置により、光路上のそれ以降（第２のダイクロイックミラーＤＣＭ２以降）の光学系を小型化させている。正レンズ１０は、被検眼眼底からの光を収斂光として第２のダイクロイックミラーＤＣＭ２に入射させると共に、発散光として第３のダイクロイックミラーＤＣＭ３に入射させる。これらの光学系の光路の分離は、第１〜第３の３枚のダイクロイックミラーをチルト偏心配置させ、透過と反射とを使い分けること行われている。
【００１４】
しかし、大きくチルト偏心したダイクロイックミラーに収斂光または発散光を入射させると軸上中心で非点収差が発生する。
【００１５】
図５は、第２のダイクロイックミラーによる軸上中心の非点収差の発生を説明する光路図である。本実施例に係る装置では、被検眼１の瞳側に正レンズ１０ａ（図１の正レンズ１０に相当）を配置したことから、瞳１ａからの平行光（眼底からの反射光）は収斂光となる。この収斂光は、母線断面（ＹＺ断面を定義）上で４５度チルト偏心させた第２のダイクロイックミラーＤＣＭ２を収斂光として透過し、受光センサー１２に対応する位置に配置される結像面１２ａにて結像されている。
【００１６】
図６は、結像面１２ａでのスポット像性能を示すスポットダイアグラム図である。横軸はピント面（結像面）からのデフォーカス量（ｍｍ）である。縦軸は画角であり、眼の瞳中心からの光線射出角度（Ｘ度、Ｙ度）を示している。母線断面上でＹ＝０度、＋１５度、−１５度、母線断面と垂直な子線断面（ＸＺ断面）上ではＸ＝０度、＋１５度、−１５度の射出光のスポットダイアグラムを示している。なお（Ｘ度、Ｙ度）＝（０度、０度）が軸上中心光束であり、デフォーカス量により、縦長のスポットダイアグラムから横長のスポットダイアグラムに変化しており、大きな非点収差が発生している。その影響でピント面でのスポットダイアグラムが大きく、光学性能が悪い。
【００１７】
なお図５において、眼の瞳１ａと正レンズ１０ａとの間に、図１のような第１のダイクロイックミラーＤＣＭ１は入れていない。これは、眼底からの反射光が眼の瞳で平行光となり、第１のダイクロイックミラーＤＣＭ１へ平行光入射し、非点収差が発生しないため省略している。
【００１８】
図７は本発明の軸上非点収差補正法を説明する光路図であって、図７（ａ）に母線断面（側面から見た場合）の光路図上の各構成の配置を、図７（ｂ）に子線断面（上面を見た場合の）の光路図上の各構成の配置を各々示している。図５に示された構成の後段に、第３のダイクロイックミラーＤＣＭ３、正レンズ１４、理想レンズ（不図示）を配置して、もう一度結像させている。より詳細には、第３のダイクロイックミラーＤＣＭ３へは第２のダイクロイックミラーＤＣＭ２を経た発散光が入射する。入射した光は、母線断面ではチルト偏心させず、母線断面と垂直な子線断面で、−４５度のチルト偏心量（第２のダイクロイックミラーＤＣＭ２の母線断面チルト偏心量と同じ）を与える。これにより、第３のダイクロイックミラーＤＣＭ３において軸上の非点収差をキャンセル補正させている。即ち、第２のダイクロイックミラーＤＣＭ２にて発生した非点収差に対して、第３のダイクロイックミラーＤＣＭ３によってこれをキャンセルする方向に非点収差を発生させ、結果としてこれら光学素子全体で生じる非点収差の抑制を行う。本実施例では、さらに眼の瞳１ａと第２のダイクロイックミラーＤＣＭ２との間の正レンズを非球面レンズ化して、画角が大きい周辺部での収差も改善している。なお、本実施例において第３のダイクロイックミラーＤＣＭ３を本発明における他のダイクロイックミラーとして把握した場合、第２のダイクロイックミラーＤＣＭ２は本発明におけるダイクロイックミラーとして把握される。
【００１９】
図８に示すスポットダイアグラムのスポット像性能はそれを示しており、ピント面でのスポットダイアグラムは軸上、周辺ともに小さく、良好な光学性能を得ている。
【００２０】
図９では図７に示した非点収差補正のための構成とは他の態様の構成を例示している。図９に示す各光学要素は、基本的は図７に示すものと同じである。しかしながら本態様では、第３のダイクロイックミラーＤＣＭ３の子線断面でのチルト偏心量は図７における第３のダイクロイックミラーＤＣＭ３とは逆の＋４５度の偏心を有する構成としている。
【００２１】
しかし、図１０のスポットダイアグラムに示されるスポット像性能から理解されるように、図７に例示された非点収差補正のための構成（図８のスポット像性能）と、軸上も周辺も同等の良好な光学性能を得ている。
【００２２】
以上のべたように、図１に概略構成を示した第１実施例に係るＡＯ−ＳＬＯ装置は、図７に示した構成である、子線断面において−４５度のチルト偏心した第３のダイクロイックミラーと非球面化された正レンズ１０とを有する。そして、第２のダイクロイックミラーの偏心断面と前記第３のダイクロイックミラーの偏心断面とは垂直の位置関係にあり、且つ同量の偏心量が設定されて、非点収差を補正する。これにより、眼底を広画角で撮影する低倍率広角光学系２の軸上の非点収差と周辺収差とを良好に補正することができる。なお、偏心断面とは、測定光等の光軸を含む平面のうち、該光軸に対して光軸を傾けて配置された光学素子の偏心量を与える平面を指す。また、この光学素子の傾き角を偏心量と称する。なお、本発明では、偏心断面等の位置関係に関しては、略垂直および略同量の偏心量として把握されることが好まし。ここで、略垂直および略同量の偏心量とは、完全に垂直または同じ偏心量を含む他、非点収差を軽減することが出来る程度のずれも含む概念である。第３のダイクロイックミラーＤＣＭ３を経た以降の光は、正レンズ１４で平行光化され、スキャナー（実際は反射型スキャナー）１１で２次元光速は１光束化され、正レンズ１５で受光センサー１２に結像する。
【００２３】
第２のダイクロイックミラーＤＣＭ２により光路が分離された前眼部光学系３は、眼球表面（被検眼１の瞳１ａ）からの反射光を結像させて、被検眼１の瞳面の状態を観察或いは撮影する光学系或いは装置である。眼球表面（被検眼１の瞳）からの発散光は第１のダイクロイックミラーＤＣＭ１に入射透過し、正レンズ１０でほぼ平行光にされ、第２のダイクロイックミラーＤＣＭ２に反射されて光路分離される。分離後、該発散光は、ミラー１９で反射され、更にレンズ１６で不図示のＣＣＤまたはＣＭＯＳの２次元撮像素子上にて結像されている。ここで、第１のダイクロイックミラーＤＣＭ１への入射透過光は発散光であるため、軸上の非点収差が発生するが、第２のダイクロイックミラーＤＣＭ２からの反射光は平行光であるため軸上の非点収差は発生しない。従って、光路分離された第２のダイクロイックミラーＤＣＭ２以降であって、さらに収斂光となるレンズ１６以降の光路上に、子線断面上で４５度のチルト偏心（第１のダイクロイックミラーＤＣＭ１のチルト偏心量と同量、−４５度でも可）した透過の偏心平板２２を挿入させている。
【００２４】
即ち、偏心平板２２は、第３のダイクロイックミラーＤＣＭ３又は後述するように第２のダイクロイックミラーＤＣＭ２の何れかにより第４の光学系より分離された光学系に配置される。また、同様の光学系に第２の正レンズ１６も配置される。該第２の正レンズ１６は、第１のダイクロイックミラーＤＣＭ１が透過させた且つ正レンズ１０により平行光とされた被検眼１の前眼部からの発散光を、偏心平板２２に収斂光として入射させる。偏心平板２２は、第１のダイクロイックミラーＤＣＭ１の偏心断面と垂直な断面上で同量の偏心を有し、該収斂光を透過させることにより、第１のダイクロイックミラーＤＣＭ１により生じる非点収差を補正する。即ち、この偏心平板２２により、前眼部光学系３での軸上非点収差の補正が可能となり、良好な光学性能が得られる。
【００２５】
次に固視灯表示光学系５については、光路図の収斂光／発散光の関係は、第３のダイクロイックミラーＤＣＭ３までは低倍率広角光学系２と全く同じである。なお、本光学系は表示系なので、表示デバイス１３への逆光線トレースの場合について述べる。第３のダイクロイックミラーＤＣＭ３での光路の反射分離後、眼底からの逆光線はレンズ１７で収斂光にされる。その後、ミラー２０でさらに反射され、中間結像面を形成した後に、さらにレンズ１８でもう１回結像させている。表示デバイス１３は、その結像面上に置かれている。この光学系では、収斂光の透過による第２のダイクロイックミラーＤＣＭ２での軸上非点収差発生に対し、第３のダイクロイックミラーＤＣＭ３の子線断面でのチルト偏心を同量設定することにより、発散光入射の反射光としてこれをキャンセルさせている。なお、第３のダイクロイックミラーの子線断面で所定のチルト偏心量を設定する対応は、低倍率広角光学系２の場合と同様である。
【００２６】
また図２に、本発明の第１実施例（図１）で用いた３つのダイクロイックミラーＤＣＭ１、２及び３の分光特性を示した。同図において、横軸は波長ｎｍ、縦軸は透過率％を示している。ＡＯ光学系４を光路分離させる第１のダイクロイックミラーＤＣＭ１は、７５０ｎｍ〜８８０ｎｍの光を反射し、それ以外の波長光は透過することが望ましい。ＡＯ光学系４は高解像力が要求されるため、理論解像度から使用波長は短いほうがよい。しかし短くなると可視光になるため、人間の眼を撮像する際、被検者が眩しさを強く感じ、長時間撮像ができない。そこで、人の眼に見えても弱い光と感じられる７５０ｎｍ〜８８０ｎｍの波長範囲が、バランスの良い波長域となる。
【００２７】
前眼部光学系３を光路分離させる第２のダイクロイックミラーＤＣＭ２は、７００ｎｍ〜７５０ｎｍの光を反射し、それ以外の波長の光は透過する特性を持たせている。７００ｎｍ〜７５０ｎｍ波長に対応する撮像素子が安価なものが多いため、それを使ってコストダウンが可能となる。
【００２８】
眼底を広画角で撮影する低倍率広角光学系２と固視灯表示光学系５とを分離する第３のダイクロイックミラーＤＣＭ３について、低倍率広角光学系２は、ＡＯ光学系４の撮影前後、前眼部撮影時など、長時間モニタリング撮像する必要があるため、眼の比視感度が弱く、眼に見えない８８０ｎｍ以上の波長帯が好ましい。また、固視灯表示光学系５は可視光波長になる。従って、第３のダイクロイックミラーＤＣＭ３は、８８０ｎｍ以上透過、７００ｎｍ以下反射特性を持たせるのが好ましい。
【００２９】
また正レンズ１０の焦点距離は５０ｍｍ以上で、且つ１５０ｍｍ以下が好ましい。焦点距離がこの下限値を下回ると、第１のダイクロイックミラーＤＣＭ１との眼球との間の距離（ＷＤ）が十分に取れなくなり、人の鼻などが装置にぶつかる可能性が生じる。また、上限値を超えた場合は、正レンズのパワーが弱すぎて、それ以降の光学系が大きくする必要性が生じる。
【００３０】
以上のべたように、光路分割のためのダイクロイックミラーをチルト偏心させてそのダイクロイックミラーに透過収斂光または透過発散光を入射させた場合に発生する軸上の非点収差は、本発明においてこれを相殺し得るチルト偏心量を与えたダイクロイックミラー等を好適に配置することで補正することが可能となり、その結果ＡＯ−ＳＬＯ装置において良好な光学性能を得ることが出来る。
【００３１】
＜第２実施例＞
本発明の第２実施例に係るＡＯ−ＳＬＯ装置における主要光学要素の概略構成図に関して、図３（ａ）は母線断面上の構成について、図３（ｂ）は子線断面上の構成について各々示している。なお、本実施例において、眼球１から正レンズ１０までは図１の第１実施例と同じ構成である。なお、図３（ｂ）においては簡単のためＤＣＭ３を省略している。
【００３２】
本実施例では、眼底を広画角で撮影する低倍率広角光学系２に関しては、正レンズ１０の後の第２のダイクロイックミラーＤＣＭ２は子線断面（ＸＺ断面）上で−４５度のチルト偏心をさせている。同時に、第３のダイクロイックミラーＤＣＭ３は、子線断面と垂直な母線断面（ＹＺ断面）で４５度のチルト偏心をさせ、これにより第１実施例と同様に軸上の非点収差を補正している。なお、本実施例でも正レンズ１０は非球面レンズ化され、周辺光学性能も同様に補正可能としている。また、正レンズ１４以降には配される構成は第１実施例と同じであり、ここでの説明は省略する。
【００３３】
固視灯表示光学系５の光路は、第２のダイクロイックミラーＤＣＭ２で反射分離されている。なお、本実施例でも、該固視灯表示光学系５が表示系なので、表示デバイス１３への逆光線トレースの場合について述べる。第３のダイクロイックミラーＤＣＭ３での光路の反射分離後、眼底からの逆光線は第２のダイクロイックミラーＤＣＭ２に収斂光として入射し反射しているため、軸上の非点収差が発生する。そこで、第２のダイクロイックミラーＤＣＭ２の子線断面偏心と垂直な母線断面上で４５度のチルト偏心させた偏心平板２３を第２のダイクロイックミラーＤＣＭ２の後段に配置し、発散光入射透過させて、軸上の非点収差をキャンセルさせている。その後、逆光線は正レンズ１７で平行光化され、ミラー２０で反射され、正レンズ１８で結像される。表示デバイス１３は、その結像面上に置かれるように配置されている。
【００３４】
前眼部光学系３の構成は、第３のダイクロイックミラーＤＣＭ３までは低倍率広角光学系２と同じ構成である。眼球１の表面（眼の瞳）からの発散光が第１のダイクロイックミラーＤＣＭ１に入射透過し、正レンズ１０でほぼ平行光化される。平行光化された発散光は、第２のダイクロイックミラーＤＣＭ２に入射透過し、ＤＣＭ３で反射分離され、ミラー１９で反射された後に、レンズ１６でＣＣＤまたはＣＭＯＳの２次元撮像素子（不図示）上に結像される。ここで、第１のダイクロイックミラーＤＣＭ１への入射透過光は発散光であるため、軸上の非点収差が発生する。これに対し、第２のダイクロイックミラーＤＣＭ２への入射透過光、及び第３のダイクロイックミラーＤＣＭ３への入射反射光は平行光であるため軸上の非点収差は発生しない。従って、本実施例では、光路分離された第３のダイクロイックミラーＤＣＭ３以降で、さらに収斂光となるレンズ１６以降に、子線断面上で４５度のチルト偏心した透過の偏心平板２２を挿入させている。なお、この偏心平板２２の偏心量は第１のダイクロイックミラーＤＣＭ１のチルト偏心量と同量である。また、第１の実施例の場合と同様にこれを−４５度とすることも可能である。この偏心平板の挿入によりにより、ＤＣＭ１での軸上非点収差の補正が可能となり、良好な光学性能が得られる。
【００３５】
また図４に、本発明の第２実施例（図３）で用いた三つのダイクロイックミラーＤＣＭ１、２、及び３の分光特性を示した。横軸は波長ｎｍ、縦軸は透過率％を示している。ＡＯ光学系４を光路分離させる第１のダイクロイックミラーＤＣＭ１は、７５０ｎｍ〜８８０ｎｍの光を反射し、それ以外の波長光は透過することが望ましい（第１実施例と同じ）。ＡＯ光学系４は高解像力が要求されるため、理論解像度から使用波長は短いほうがよい。しかし短くなると可視光になるため、人間の眼を撮像する際、被検者が眩しさを強く感じ、長時間撮像ができない。そこで、人の眼に見えても弱い光と感じられる７５０ｎｍ〜８８０ｎｍの波長範囲が、バランスの良い波長域となる。次に固視灯表示光学系５を分離する第２のダイクロイックミラーＤＣＭ２は、７００ｎｍ以下で反射、それ以外の波長の光は透過する特性を持たせている。固視灯表示光学系５で用いる光は可視光波長になるためである。最後の第３のダイクロイックミラーＤＣＭ３は、７５０ｎｍ以下の波長の光を反射、８８０ｎｍ以上の波長の光を透過する特性を持たせてある。第２のダイクロイックミラーＤＣＭ２で７００ｎｍ以下の光（固視灯表示光学系５）はすでに光路分離されているため、第３のダイクロイックミラーＤＣＭ３の反射光は、７００ｎｍ〜７５０ｎｍの光となる。従って、７００ｎｍ〜７５０ｎｍ波長で対応する撮像素子は安価なものが多いため、それを使うことによってコストダウンが可能となる。また低倍率広角光学系２は、ＡＯ光学系４の撮影前後、前眼部撮影時など、長時間モニタリング撮像する必要があるため、眼の比視感度が弱く、眼に見えない８８０ｎｍ以上の波長帯の光を用いることが好ましい。
【００３６】
また正レンズ１０の焦点距離は５０ｍｍ以上、１５０ｍｍ以下が好ましい。焦点距離が下限を下回ると、第１のダイクロイックミラーＤＣＭ１との眼球の間の距離（ＷＤ）が十分に取れなくなり、人の鼻などが装置にぶつかる可能性が生じる。また、焦点距離が上限値を超えた場合は、正レンズのパワーが弱すぎて、それ以降の光学系が大きくする必要性が生じる。
【００３７】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３８】
ＤＣＭ１：第１のダイクロイックミラー
ＤＣＭ２：第２のダイクロイックミラー
ＤＣＭ３：第３のダイクロイックミラー
１：眼球
２：低倍率広角光学系
３：前眼部光学系 
４：高倍率高解像度ＡＯ光学系
５：固視灯光学系
９：平板
１０：正レンズ
１１：スキャナー
１２：光源・受光センサー
１３：表示パネル
１４−１８：レンズ
１９−２０：ミラー
【図１】
0006468764.tif 000002
【図２】
0006468764.tif 000003
【図３】
0006468764.tif 000004
【図４】
0006468764.tif 000005
【図５】
0006468764.tif 000006
【図６】
0006468764.tif 000007
【図７】
0006468764.tif 000008
【図８】
0006468764.tif 000009
【図９】
0006468764.tif 000010
【図１０】
0006468764.tif 000011